(57)【要約】【課題】断裁領域が指定されている原稿に角折れが発生した場合に、原稿の不良率を低減させることが可能な画像形成装置及び検査方法を提供する。【解決手段】画像形成部２０により画像が形成された原稿を読み取って得られた読取画像に基づいて、原稿の角折れを検知する検知部（画像検査部３０）と、原稿の断裁領域を断裁する断裁部４０と、断裁領域が指定されている原稿の断裁領域を計算し、当該計算した断裁領域内に検知部により検知された角折れの折返し領域が収まっている場合に、正常原稿と判断する判断部（制御部１１）と、を備える。【選択図】図１
2020045212.tif 000002
【特許請求の範囲】
【請求項１】
原稿に画像を形成する画像形成部を備える画像形成装置において、
前記画像形成部により画像が形成された原稿を読み取って得られた読取画像に基づいて、前記原稿の角折れを検知する検知部と、
前記原稿の断裁領域を断裁する断裁部と、
前記断裁領域が指定されている原稿の前記断裁領域を計算し、当該計算した断裁領域内に前記検知部により検知された角折れの折返し領域が収まっている場合に、正常原稿と判断する判断部と、
を備えることを特徴とする画像形成装置。
【請求項２】
前記断裁領域内のみに前記角折れの折り目があり、前記原稿の前記断裁領域を除いた領域である原稿領域内に前記折返し領域があるか否かを判定する第１判定部と、
前記第１判定部により、前記断裁領域内のみに前記角折れの折り目があり、前記原稿領域内に前記折返し領域があると判定した場合に、前記原稿に形成される画像データを参照して、前記原稿領域と前記折返し領域の重なり領域に画像が形成されるか否かを判定する第２判定部と、
前記第２判定部により前記重なり領域に画像が形成されると判定した場合に、前記折返し領域の前記重なり領域と重なっている部分に前記重なり領域に形成される画像が形成されているか否かを判定する第３判定部と、
を備え、
前記判断部は、前記第３判定部により前記折返し領域の前記重なり領域と重なっている部分に前記重なり領域に形成される画像が形成されていると判定した場合に、ヤレ原稿と判断することを特徴とする請求項１に記載の画像形成装置。
【請求項３】
前記判断部は、前記第３判定部により前記折返し領域の前記重なり領域と重なっている部分に前記重なり領域に形成される画像が形成されていないと判定した場合に、再検査が必要であると判断することを特徴とする請求項２に記載の画像形成装置。
【請求項４】
前記判断部は、前記再検査が必要であると判断した場合、排紙後の前記原稿を所定のトレイに収容させるための指示を報知部に報知させることを特徴とする請求項３に記載の画像形成装置。
【請求項５】
前記判断部は、前記再検査が必要であると判断した場合、排紙後の前記原稿の前記再検査が必要な部分を目視で検査させるための指示を報知部に報知させることを特徴とする請求項３又は４に記載の画像形成装置。
【請求項６】
前記判断部は、前記原稿の前記断裁領域を除いた領域である原稿領域内に前記角折れの折り目がある場合に、ヤレ原稿と判断することを特徴とする請求項１〜５のいずれか一項に記載の画像形成装置。
【請求項７】
前記判断部は、前記ヤレ原稿と判断した場合、前記断裁部による断裁を行わないことを特徴とする請求項２〜６のいずれか一項に記載の画像形成装置。
【請求項８】
前記判断部は、前記検知部により前記角折れが検知された場合、前記角折れが発生した旨を報知部に報知させることを特徴とする請求項１〜７のいずれか一項に記載の画像形成装置。
【請求項９】
原稿に画像を形成する画像形成部を備える画像形成装置における検査方法であって、
前記画像形成部により画像が形成された原稿を読み取って得られた読取画像に基づいて、前記原稿の角折れを検知する検知工程と、
断裁部により断裁される断裁領域が指定されている原稿の前記断裁領域を計算し、当該計算した断裁領域内に前記検知工程で検知された角折れの折返し領域が収まっている場合に、正常原稿と判断する判断工程と、
を含む検査方法。
【発明の詳細な説明】
【技術分野】
【０００１】
本発明は、画像形成装置及び検査方法に関する。
【背景技術】
【０００２】
従来、画像形成装置において、用紙への画像形成時に不具合を生じさせる問題として、用紙の先端部又は後端部の角が折れる角折れがある。角折れが生じた用紙は、角折れのない用紙と比べて、用紙の搬送経路を形成する部材に引っ掛かりやすいため、用紙が搬送経路内で詰まりやすくなるという不具合がある。また、使用者によっては、画像を形成した用紙に角折れがあること自体を不具合とするケースもある。
【０００３】
そこで、用紙幅センサーの検出結果に基づいて、用紙先端近傍の一箇所を含めた複数箇所についての用紙端部の位置を認識することで、角折れの発生を検出する構成が開示されている（例えば、特許文献１参照）。
【０００４】
また、印刷物の検査（例えば、色調の良否、汚れの有無、抜けの有無等の検査）を自動的に行う検査システムとして、撮像装置により印刷物を撮像して得られる画像データと、予め用意される基準画像データと、を比較する構成が開示されている（例えば、特許文献２参照）。特許文献２記載の発明においては、印刷物の表面の一部に検査対象領域が存在する印刷物を撮像すると、検査対象領域とともに非検査領域（例えば、印刷物の裁断部や折曲げ部等が位置する領域）も撮像されるが、非検査領域については検査する必要がないため、画像処理により非検査領域をマスクする（検査対象範囲から除外する）ことが行われる。
【先行技術文献】
【特許文献】
【０００５】
【特許文献１】特開２００８−１３３１２３号公報
【特許文献２】特開２００５−９１３３１号公報
【発明の概要】
【発明が解決しようとする課題】
【０００６】
ところで、断裁部により断裁される断裁領域が指定されている原稿を検査する場合、角折れの折り返された部分（折返し領域）が断裁領域内に全て収まっているケースであれば、断裁時に角折れ部分が排除されるため、ヤレ紙として判断する必要はない。
しかしながら、特許文献１記載の発明は、角折れの発生を検知することはできるが、断裁領域が指定されている原稿に角折れがある場合、全てヤレ紙として判断してしまうという課題がある。
また、特許文献２記載の発明は、非検査領域をマスクすることで検査対象から除外する発明であるが、この検査方法では、検査領域である原稿領域内に折返し領域が少しでも侵入した場合、全てヤレ紙として判断してしまうという課題がある。
【０００７】
本発明は、断裁領域が指定されている原稿に角折れが発生した場合に、原稿の不良率を低減させることが可能な画像形成装置及び検査方法を提供することを目的とする。
【課題を解決するための手段】
【０００８】
請求項１に記載の発明は、上記目的を達成するためになされたものであり、
原稿に画像を形成する画像形成部を備える画像形成装置において、
前記画像形成部により画像が形成された原稿を読み取って得られた読取画像に基づいて、前記原稿の角折れを検知する検知部と、
前記原稿の断裁領域を断裁する断裁部と、
前記断裁領域が指定されている原稿の前記断裁領域を計算し、当該計算した断裁領域内に前記検知部により検知された角折れの折返し領域が収まっている場合に、正常原稿と判断する判断部と、
を備えることを特徴とする。
【０００９】
請求項２に記載の発明は、請求項１に記載の画像形成装置において、
前記判断部は、
前記断裁領域内のみに前記角折れの折り目があり、前記原稿の前記断裁領域を除いた領域である原稿領域内に前記折返し領域があるか否かを判定する第１判定部と、
前記第１判定部により、前記断裁領域内のみに前記角折れの折り目があり、前記原稿領域内に前記折返し領域があると判定した場合に、前記原稿に形成される画像データを参照して、前記原稿領域と前記折返し領域の重なり領域に画像が形成されるか否かを判定する第２判定部と、
前記第２判定部により前記重なり領域に画像が形成されると判定した場合に、前記折返し領域の前記重なり領域と重なっている部分に前記重なり領域に形成される画像が形成されているか否かを判定する第３判定部と、
を備え、
前記判断部は、前記第３判定部により前記折返し領域の前記重なり領域と重なっている部分に前記重なり領域に形成される画像が形成されていると判定した場合に、ヤレ原稿と判断することを特徴とする。
【００１０】
請求項３に記載の発明は、請求項２に記載の画像形成装置において、
前記判断部は、前記第３判定部により前記折返し領域の前記重なり領域と重なっている部分に前記重なり領域に形成される画像が形成されていないと判定した場合に、再検査が必要であると判断することを特徴とする。
【００１１】
請求項４に記載の発明は、請求項３に記載の画像形成装置において、
前記判断部は、前記再検査が必要であると判断した場合、排紙後の前記原稿を所定のトレイに収容させるための指示を報知部に報知させることを特徴とする。
【００１２】
請求項５に記載の発明は、請求項３又は４に記載の画像形成装置において、
前記判断部は、前記再検査が必要であると判断した場合、排紙後の前記原稿の前記再検査が必要な部分を目視で検査させるための指示を報知部に報知させることを特徴とする。
【００１３】
請求項６に記載の発明は、請求項１〜５のいずれか一項に記載の画像形成装置において、
前記判断部は、前記原稿の前記断裁領域を除いた領域である原稿領域内に前記角折れの折り目がある場合に、ヤレ原稿と判断することを特徴とする。
【００１４】
請求項７に記載の発明は、請求項２〜６のいずれか一項に記載の画像形成装置において、
前記判断部は、前記ヤレ原稿と判断した場合、前記断裁部による断裁を行わないことを特徴とする。
【００１５】
請求項８に記載の発明は、請求項１〜７のいずれか一項に記載の画像形成装置において、
前記判断部は、前記検知部により前記角折れが検知された場合、前記角折れが発生した旨を報知部に報知させることを特徴とする。
【００１６】
請求項９に記載の発明は、
原稿に画像を形成する画像形成部を備える画像形成装置における検査方法であって、
前記画像形成部により画像が形成された原稿を読み取って得られた読取画像に基づいて、前記原稿の角折れを検知する検知工程と、
断裁部により断裁される断裁領域が指定されている原稿の前記断裁領域を計算し、当該計算した断裁領域内に前記検知工程で検知された角折れの折返し領域が収まっている場合に、正常原稿と判断する判断工程と、
を含む。
【発明の効果】
【００１７】
本発明によれば、断裁領域が指定されている原稿に角折れが発生した場合に、原稿の不良率を低減させることができる。
【図面の簡単な説明】
【００１８】
【図１】本実施形態に係る画像形成装置の構成を機能ごとに示すブロック図である。
【図２】本実施形態に係る画像形成装置の概略構成を示す正面図である。
【図３】画像検査部の動作の一例を示すフローチャートである。
【図４】一の隅に角折れが発生している原稿の一例を示す図である。
【図５】本実施形態に係る画像形成装置の動作の一例を示すフローチャートである。
【図６】断裁領域内に折返し領域が収まっている原稿の一例を示す図である。
【図７】原稿領域内に折り目がある原稿の一例を示す図である。
【図８】原稿領域と折返し領域の重なり領域に画像が形成されない原稿の一例を示す図である。
【図９】折返し領域に正常な画像が形成されている原稿の一例を示す図である。
【図１０】折返し領域に正常な画像が形成されていない原稿の一例を示す図である。
【発明を実施するための形態】
【００１９】
以下、本発明の実施の形態について、図面を参照して詳細に説明する。
【００２０】
［１．構成の説明］
本実施形態に係る画像形成装置Ｇは、原稿から画像を読み取って得られた画像データ又は外部機器から受信した画像データに基づいて、電子写真方式により用紙上にカラー画像を形成するタンデム型のカラー画像形成装置である。
【００２１】
画像形成装置Ｇは、図１及び図２に示すように、制御部１１と、記憶部１２と、通信部１３と、スキャナー部１４と、スキャナー画像処理部１５と、メモリー制御部１６と、画像メモリー１７と、プリンター画像処理部１８と、画像形成部２０と、画像検査部３０と、断裁部４０と、操作部５０と、表示部６０と、を備えて構成されている。
【００２２】
制御部１１は、図１に示すように、ＣＰＵ、ＲＡＭ等を備えて構成されている。ＣＰＵは、記憶部１２から各種プログラムを読み出してＲＡＭに展開し、実行することにより、画像形成装置Ｇの各部を制御する。
【００２３】
記憶部１２は、制御部１１により読み取り可能なプログラム、プログラムの実行時に用いられるファイル等を記憶している。記憶部１２としては、ハードディスク等の大容量メモリーを用いることができる。
【００２４】
通信部１３は、ＮＩＣ（Network Interface Card）等、通信ネットワークに接続するための通信インターフェイスである。例えば、通信部１３は、外部装置（図示省略）からプリントデータやプリント設定データを受信する。受信されたプリントデータやプリント設定データは、制御部１１に出力される。
【００２５】
スキャナー部１４は、自動原稿送り装置、スキャナー等からなり、原稿台上にセットされた原稿面を読み取って、ビットマップ形式の画像データを生成する。スキャナー部１４により生成された画像データは、各画素がＲ（赤）、Ｇ（緑）及びＢ（青）の３色の画素値を有し、Ｃ、Ｍ、Ｙ及びＫの４色の画素値を有する画像データに色変換される。
【００２６】
スキャナー画像処理部１５は、スキャナー部１４から入力されるアナログ画像データに、アナログ処理、Ａ／Ｄ変換処理、シェーディング処理等の各種処理を施した後、デジタル画像データを生成する。生成された画像データは、メモリー制御部１６に出力される。
【００２７】
メモリー制御部１６は、制御部１１からの指示に従って、画像データの圧縮処理及び圧縮画像データの伸長処理を制御するとともに、画像メモリー１７への画像データの入出力制御を行う。
【００２８】
画像メモリー１７は、ＤＲＡＭから構成される圧縮メモリーと、ページメモリーと、を備えて構成されている。圧縮メモリーは、圧縮画像データを記憶するためのメモリーである。ページメモリーは、プリント出力用の画像データを一時的に記憶するためのメモリーである。
【００２９】
プリンター画像処理部１８は、メモリー制御部１６から入力された画像データに基づいて、画像形成のための印刷画像データを生成し、画像形成部２０に出力する。
【００３０】
画像形成部２０は、電子写真方式の画像形成処理を行うものである。画像形成部２０は、プリンター画像処理部１８により画像処理した画像データの各画素の４色の画素値に応じて、Ｃ、Ｍ、Ｙ及びＫの４色からなる画像を用紙上に形成する。
【００３１】
画像形成部２０は、図１及び図２に示すように、給紙部２１と、搬送部２２と、４つの書込部２３と、中間転写ベルト２４と、転写部２５と、定着部２６と、を備えて構成されている。なお、本実施形態の画像形成部２０では、電子写真方式を適用した例を説明するが、これに限らず、インクジェット方式、熱昇華方式等、他のプリント方式を適用することとしてもよい。
【００３２】
給紙部２１は、複数の給紙トレイ、給紙トレイ毎に設けられた給紙ローラー、分離ローラー、給紙／分離ゴム、送り出しローラー等からなる給紙機構を備える。各給紙トレイには、用紙の種類（紙種、坪量、用紙サイズ等）ごとに予め識別された用紙が格納されており、用紙の最上部から一枚ずつ給紙機構により搬送部２２に向けて搬送される。
【００３３】
搬送部２２は、給紙部２１から搬送された用紙を、複数の中間ローラー、レジストローラー等を経る転写部２５への用紙搬送経路上に用紙を搬送し、画像形成部２０の二次転写位置へと搬送する。
【００３４】
４つの書込部２３は、中間転写ベルト２４のベルト面に沿って直列（タンデム）に配置され、Ｃ、Ｍ、Ｙ及びＫの各色の画像を形成する。各書込部２３は形成する画像の色が異なるだけで構成は同じであり、図２に示すように、露光部２３ａ、感光体ドラム２３ｂ、現像部２３ｃ、帯電部２３ｄ、クリーニング部２３ｅ及び１次転写ローラー２３ｆを備えて構成されている。
【００３５】
画像形成時、各書込部２３では、帯電部２３ｄにより感光体ドラム２３ｂを帯電させた後、画像データに基づいて露光部２３ａにより出射した光束で感光体ドラム２３ｂ上を走査し、静電潜像を形成する。次いで、現像部２３ｃによりトナーを供給して現像すると、感光体ドラム２３ｂ上に画像が形成される。
次いで、４つの書込部２３の感光体ドラム２３ｂ上にそれぞれ形成した画像を、それぞれの１次転写ローラー２３ｆにより、中間転写ベルト２４上に順次重ねて転写（１次転写）する。これにより、中間転写ベルト２４上には各色からなる画像が形成される。次いで、１次転写後、クリーニング部２３ｅにより感光体ドラム２３ｂ上に残留するトナーを除去する。
【００３６】
画像形成部２０は、給紙部２１から用紙を給紙し、転写部２５により中間転写ベルト２４から用紙上に画像を転写（２次転写）した後、用紙を定着部２６により加熱及び加圧して、定着処理を施す。
用紙の両面に画像を形成する場合は、搬送経路２７に用紙を搬送してその表裏を反転した後、再度転写部２５へ用紙を搬送する。
【００３７】
画像検査部（検知部）３０は、リニアイメージセンサー（例えばＣＣＤラインセンサー等）、光学系、光源等を備えて構成され、画像形成部２０により画像が形成（転写）された用紙（原稿）を読み取って得られた読取画像に基づいて、角折れの発生の有無を検査（検知）する。
【００３８】
具体的には、まず、画像検査部３０は、図３のフローチャートに示すように、上記の読取画像に基づいて、四隅にエッジが存在するか否かを判定する（ステップＳ１０１）。
画像検査部３０は、四隅にエッジが存在すると判定した場合（ステップＳ１０１：ＹＥＳ）、角折れが発生していないと判断し、処理を終了する。
一方、画像検査部３０は、少なくともいずれか一の隅にエッジが存在しないと判定した場合（ステップＳ１０１：ＮＯ）、角折れが発生していると判断し、次のステップＳ１０２へと移行する。図４に、一の隅（図中符号Ａ１）にエッジが存在しない（すなわち、角折れが発生している）原稿Ｄの一例を示す。
【００３９】
次に、画像検査部３０は、エッジが存在していない隅（端）のエッジ（図４の符号Ａ２）を検知する（ステップＳ１０２）。これにより、いずれの位置から角折れが発生しているか判断することができる。
【００４０】
次に、画像検査部３０は、ステップＳ１０２で検知したエッジに基づいて、原稿Ｄの折返し領域（図４の符号Ａ３）を特定する（ステップＳ１０３）。
以上の処理により、画像検査部３０は、角折れの発生の有無を検査することができる。
【００４１】
断裁部４０は、搬送された用紙（原稿）の断裁領域（余白部分）を断裁する。
【００４２】
操作部５０及び表示部６０は、図１及び図２に示すように、画像形成装置Ｇの上部に設けられるユーザーインターフェイスである。
操作部５０は、ユーザーの操作に応じた操作信号を生成し、制御部１１に出力する。操作部５０としては、キーパッド、表示部６０と一体に構成されたタッチパネル等を用いることができる。
表示部（報知部）６０は、制御部１１の指示に従って操作画面等を表示する。表示部６０としては、ＬＣＤ（Liquid Crystal Display）、ＯＥＬＤ（Organic Electro Luminescence Display）等を用いることができる。
【００４３】
［２．動作の説明］
次に、本実施形態に係る画像形成装置Ｇの動作について、図５のフローチャートを参照して説明する。この処理は、画像検査部３０により角折れの発生が検知されたことを契機として開始される。
【００４４】
まず、制御部１１は、原稿の断裁領域内に折返し領域が収まっているか否かを判定する（ステップＳ２０１）。図６に、断裁領域Ｅ１内に折返し領域Ａ３が収まっている原稿Ｄの一例を示す。なお、制御部１１は、原稿に形成される画像データを参照して、断裁領域を予め計算しておくようにする。
制御部１１は、原稿の断裁領域内に折返し領域が収まっていると判定した場合（ステップＳ２０１：ＹＥＳ）、断裁部４０による断裁時に角折れ部分が排除されるため、正常原稿と判断し（ステップＳ２０６）、処理を終了する。すなわち、制御部１１は、本発明の判断部として機能する。
一方、制御部１１は、原稿の断裁領域内に折返し領域が収まっていない（すなわち、原稿領域（図６の符号Ｅ２）内に折返し領域が侵入している）と判定した場合（ステップＳ２０１：ＮＯ）、次のステップＳ２０２へと移行する。
【００４５】
次に、制御部１１は、原稿領域内に（角折れ部分の）折り目があるか否かを判定する（ステップＳ２０２）。図７に、原稿領域Ｅ２内に折り目Ｂ１がある原稿Ｄの一例を示す。
制御部１１は、原稿領域内に折り目があると判定した場合（ステップＳ２０２：ＹＥＳ）、断裁部４０による断裁後も折り目が残ってしまうため、ヤレ原稿（ヤレ紙）と判断し（ステップＳ２０７）、処理を終了する。なお、制御部１１は、ヤレ原稿と判断した場合、その後の断裁処理は行わず、通常の排紙トレイとは異なるトレイ（ヤレ原稿を排紙するためのトレイ）に排紙するパージ処理等を行う。
一方、原稿領域内に折り目がないと判定した場合（ステップＳ２０２：ＮＯ）、次のステップＳ２０３へと移行する。
【００４６】
次に、制御部１１は、断裁領域内のみに折り目があり、原稿領域内に折返し領域がある（原稿領域と折返し領域に重なりがある）か否かを判定する（ステップＳ２０３）。すなわち、制御部１１は、本発明の第１判定部として機能する。
制御部１１は、断裁領域内のみに折り目があり、原稿領域内に折返し領域があると判定した場合（ステップＳ２０３：ＹＥＳ）、次のステップＳ２０４へと移行する。
一方、制御部１１は、断裁領域内に折り目がなく、原稿領域内に折返し領域がないと判定した場合（ステップＳ２０３：ＮＯ）、角折れ部分が存在しないため、正常原稿と判断し（ステップＳ２０６）、処理を終了する。
【００４７】
次に、制御部１１は、原稿に形成される画像データを参照して、原稿領域と折返し領域の重なり領域に画像が形成されるか否かを判定する（ステップＳ２０４）。すなわち、制御部１１は、本発明の第２判定部として機能する。
制御部１１は、原稿領域と折返し領域の重なり領域に画像が形成されると判定した場合（ステップＳ２０４：ＹＥＳ）、次のステップＳ２０５へと移行する。
一方、制御部１１は、原稿領域と折返し領域の重なり領域に画像が形成されないと判定した場合（ステップＳ２０４：ＮＯ）、断裁部４０による断裁時に角折れ部分が排除されるとともに、角折れに起因する画像形成の不具合が発生しないため、正常原稿と判断し（ステップＳ２０６）、処理を終了する。図８に、原稿領域Ｅ２と折返し領域Ａ３の重なり領域Ｂ２に画像が形成されない原稿Ｄの一例を示す。
【００４８】
次に、制御部１１は、折返し領域（の重なり領域部分）に正常な画像（重なり領域に形成される画像）が形成されているか否かを判定する（ステップＳ２０５）。すなわち、制御部１１は、本発明の第３判定部として機能する。
制御部１１は、折返し領域に正常な画像が形成されていると判定した場合（ステップＳ２０５：ＹＥＳ）、角折れの発生後に画像が形成されている（すなわち、原稿領域の重なり領域部分に画像が形成されていない）ため、ヤレ原稿と判断し（ステップＳ２０７）、処理を終了する。図９に、折返し領域Ａ３（の重なり領域Ｂ２部分）に正常な画像が形成されている原稿Ｄの一例を示す。
一方、制御部１１は、折返し領域に正常な画像が形成されていない（すなわち、折返し領域が白紙である）と判定した場合（ステップＳ２０５：ＮＯ）、原稿領域の重なり領域部分に画像が正常に形成されているか否かを確認する必要があるため、再検査が必要であると判断し（ステップＳ２０８）、処理を終了する。図１０に、折返し領域Ａ３（の重なり領域Ｂ２部分）に正常な画像が形成されていない原稿Ｄの一例を示す。再検査を実施するときは、角折れ部分（折返し領域）を除去する必要があるため、断裁部４０による断裁後に折返し領域に残るゴミを除去する機構を設けて、ゴミの除去を行う。再検査は、断裁後にゴミ（角折れ部分を含む）を除去して排紙した後、オフラインで原稿を所定のトレイに収容して再度通紙／検査するか、又は、ユーザーが目視で確認するか、のいずれかの工程で行われる。なお、再検査を実施する原稿をユーザーが識別できるように、通常の排紙トレイとは異なるトレイ（再検査原稿を排紙するためのトレイ）にソートする識別やパージする識別を実施するようにしてもよい。
【００４９】
［３．効果］
以上のように、本実施形態に係る画像形成装置Ｇは、画像形成部２０により画像が形成された原稿を読み取って得られた読取画像に基づいて、原稿の角折れを検知する検知部（画像検査部３０）と、原稿の断裁領域を断裁する断裁部４０と、断裁領域が指定されている原稿の断裁領域を計算し、当該計算した断裁領域内に検知部により検知された角折れの折返し領域が収まっている場合に、正常原稿と判断する判断部（制御部１１）と、を備える。
したがって、本実施形態に係る画像形成装置Ｇによれば、断裁領域が指定されている原稿に角折れが発生した場合に、角折れの状況に応じて的確に原稿の正常／異常を検査することができるので、原稿の不良率を低減させることができる。
【００５０】
また、本実施形態に係る画像形成装置Ｇによれば、断裁領域内のみに角折れの折り目があり、原稿の断裁領域を除いた領域である原稿領域内に折返し領域があるか否かを判定する第１判定部（制御部１１）と、第１判定部により、断裁領域内のみに角折れの折り目があり、原稿領域内に折返し領域があると判定した場合に、原稿に形成される画像データを参照して、原稿領域と折返し領域の重なり領域に画像が形成されるか否かを判定する第２判定部（制御部１１）と、第２判定部により重なり領域に画像が形成されると判定した場合に、折返し領域の重なり領域と重なっている部分に重なり領域に形成される画像が形成されているか否かを判定する第３判定部（制御部１１）と、を備える。また、判断部は、第３判定部により折返し領域の重なり領域と重なっている部分に重なり領域に形成される画像が形成されていると判定した場合に、ヤレ原稿と判断する。
したがって、本実施形態に係る画像形成装置Ｇによれば、角折れの発生後に画像が形成されていることがわかるので、原稿領域の重なり領域部分に画像が形成されていないことを認識することが可能となり、正確にヤレ原稿であることを識別することができる。よって、再検査を行うことなく、ヤレ原稿の見逃しを防止することができる。
【００５１】
また、本実施形態に係る画像形成装置Ｇによれば、判断部は、第３判定部により折返し領域の重なり領域と重なっている部分に重なり領域に形成される画像が形成されていないと判定した場合に、再検査が必要であると判断する。
したがって、本実施形態に係る画像形成装置Ｇによれば、角折れの発生前に画像が形成されているか、又は、角折れの発生後に画像が形成されたものの不具合で折返し領域に正常な画像が形成されなかったか、を判別することができないので、原稿領域の重なり領域部分に画像が正常に形成されているか否かを確認する必要があることを認識することができる。よって、正確に再検査の必要性を判断することができるので、無駄なく再検査を実施することができる。
【００５２】
また、本実施形態に係る画像形成装置Ｇによれば、判断部は、原稿の断裁領域を除いた領域である原稿領域内に角折れの折り目がある場合に、ヤレ原稿と判断する。
したがって、本実施形態に係る画像形成装置Ｇによれば、断裁部４０による断裁後も折り目が残ってしまうことがわかるので、正確にヤレ原稿であることを識別することができる。よって、再検査を行うことなく、ヤレ原稿の見逃しを防止することができる。
【００５３】
また、本実施形態に係る画像形成装置Ｇによれば、判断部は、ヤレ原稿と判断した場合、断裁部４０による断裁を行わない。
したがって、本実施形態に係る画像形成装置Ｇによれば、断裁部４０による断裁を行う作業時間を削減することができるので、原稿の異常検査に掛かる作業時間を短縮することができる。
【００５４】
以上、本発明に係る実施形態に基づいて具体的に説明したが、本発明は上記実施形態に限定されるものではなく、その要旨を逸脱しない範囲で変更可能である。
【００５５】
例えば、上記実施形態では、再検査を実施する際に、断裁部４０による断裁を行った後、折返し領域に残るゴミを除去するようにしているが、これに限定されるものではない。例えば、処理スピードを優先し、かつ、断裁部４０のカッターの消耗を抑制するために、断裁部４０による断裁を行わずに排紙するパターンを選択できるようにしてもよい。
【００５６】
また、再検査が必要であると判断した場合（図５のステップＳ２０８）に、排紙後の原稿を所定のトレイに収容させるための指示を表示部６０に表示させるようにしてもよい。また、排紙後の原稿の再検査が必要な部分を目視で検査させるための指示を表示部６０に表示させるようにしてもよい。なお、排紙後の原稿を所定のトレイに収容させるための指示や排紙後の原稿の再検査が必要な部分を目視で検査させるための指示を、表示部６０に表示させる代わりに、音声出力部（図示省略）に音声出力させるようにしてもよい。
このように、判断部が、再検査が必要であると判断した場合、排紙後の原稿を所定のトレイに収容させるための指示を報知部（表示部６０）に報知させることで、スムーズに再検査を実施させることができるので、再検査における誤操作や再検査の実施忘れを抑制することができる。
また、判断部が、再検査が必要であると判断した場合、排紙後の原稿の再検査が必要な部分を目視で検査させるための指示を報知部（表示部６０）に報知させることで、再検査におけるミスや再検査の実施忘れを抑制することができる。
【００５７】
また、角折れの発生を検知した場合には、正常原稿であるかヤレ原稿であるかにかかわらず、ユーザーが角折れ発生の原因を調査できるよう、角折れが発生した旨の注意喚起を表示部６０に表示させるようにしてもよい。なお、角折れが発生した旨の注意喚起を、表示部６０に表示させる代わりに、音声出力部（図示省略）に音声出力させるようにしてもよい。
このように、判断部が、検知部により角折れが検知された場合、角折れが発生した旨を報知部（表示部６０）に報知させることで、ユーザーやサービスマンにより所定の対処（例えば、ローラーの摩耗やローラー圧の低下の修正など）を行うことができるので、その後の角折れの発生を抑制することができる。
【００５８】
その他、画像形成装置を構成する各装置の細部構成及び各装置の細部動作に関しても、 本発明の趣旨を逸脱することのない範囲で適宜変更可能である。
【符号の説明】
【００５９】
Ｇ  画像形成装置
１１  制御部（判断部、第１判定部、第２判定部、第３判定部）
１２  記憶部
１３  通信部
１４  スキャナー部
１５  スキャナー画像処理部
１６  メモリー制御部
１７  画像メモリー
１８  プリンター画像処理部
２０  画像形成部
２１  給紙部
２２  搬送部
２３  書込部
２３ａ  露光部
２３ｂ  感光体ドラム
２３ｃ  現像部
２３ｄ  帯電部
２３ｅ  クリーニング部
２３ｆ  １次転写ローラー
２４  中間転写ベルト
２５  転写部
２６  定着部
３０  画像検査部（検知部）
４０  断裁部
５０  操作部
６０  表示部（報知部）
【図１】
2020045212.tif 000003
【図２】
2020045212.tif 000004
【図３】
2020045212.tif 000005
【図４】
2020045212.tif 000006
【図５】
2020045212.tif 000007
【図６】
2020045212.tif 000008
【図７】
2020045212.tif 000009
【図８】
2020045212.tif 000010
【図９】
2020045212.tif 000011
【図１０】
2020045212.tif 000012